(57)【要約】【課題】本発明は、第１筐体に配置された第１電極と第２筐体に配置された第２電極との間に伝搬する交流信号に基づいて開閉状態を検知する電子機器を提供することを目的とする。【解決手段】携帯電話機１は、操作部側筐体２と表示部側筐体３とを開閉可能に連結するヒンジ機構４と、操作部側筐体２に形成される第１金属蒸着部１００と、表示部側筐体３に形成され閉状態において第１金属蒸着部１００から離間して配置されると共に開状態において第１金属蒸着部１００に近接して配置される第２金属蒸着部１０２と、第１金属蒸着部１００又は第２金属蒸着部１０２における一方にクロック信号を印加するＲＴＣ４００と、他方に伝搬されたクロック信号を検出する信号検出部４０５と、検出されたクロック信号に基づいて開閉状態を検知する開閉検知部４１０と、を備える。【選択図】図７
2009246548.tif 000002
【特許請求の範囲】
【請求項１】
第１面を有する第１筐体と、
第２面を有する第２筐体と、
前記第１面と前記第２面とが互いに対向して配置されて、前記第２筐体が前記第１面を覆う閉状態と、前記第１面が露出される開状態との間を相対移動可能に前記第１筐体と前記第２筐体とを連結する連結部と、
前記第１筐体に形成される第１電極と、
前記第２筐体に形成され、前記閉状態又は前記開状態の一方において離間すると共に前記閉状態又は前記開状態の他方において近接して配置される第２電極と、
前記第１電極又は前記第２電極における一方に第１交流信号を印加する第１交流信号印加部と、
前記第１電極又は前記第２電極における他方に伝搬された交流信号に基づいて信号を検出する信号検出部と、
前記第１交流信号部検出部により検出された交流信号に基づいて開閉状態を検知する開閉検知部と、を備える電子機器。
【請求項２】
前記第２電極は、前記開状態において前記第１電極に近接して配置される請求項１に記載の電子機器。
【請求項３】
前記連結部は、前記第１筐体における一端側と前記第２筐体における一端側とを連結し、
前記第１電極は、前記第１筐体における前記連結部近傍に形成され、
前記第２電極は、前記第２筐体における前記連結部近傍に形成される請求項１又は２に記載の電子機器。
【請求項４】
前記第２電極は、前記第２筐体における前記第２面と反対の面側に配置される請求項３に記載の電子機器。
【請求項５】
前記第１筐体又は前記第２筐体の一方に収容配置される第１回路基板と、
前記第２筐体の他方に収容配置される第２回路基板と、
前記第１回路基板と前記第２回路基板とを電気的に接続する信号線と、を備え、
前記第１交流信号印加部は、前記第１回路基板に備えられ、
前記第２電極は、前記信号線を介して前記第１交流信号印加部より信号を受信する
ことを特徴とする請求項３又は４に記載の電子機器。
【請求項６】
前記第１交流信号印加部は、
前記開閉検知部により該電子機器が閉状態と検知された状態において、第１間隔で前記第１交流信号を前記第１電極又は前記第２電極における一方に印加し、
前記開閉検知部により前記開状態と検知された状態において、前記第１間隔よりも長い第２間隔で前記第１交流信号を前記第１電極又は前記第２電極における一方に印加する
請求項１から５のいずれかに記載の電子機器。
【請求項７】
電波を利用して外部と通信すると共に、所定時間ごとに間欠的に通信動作を行う通信部と、を備え、
前記第１交流信号印加部は、前記通信部における間欠的な通信動作中において、前記第１交流信号の印加を停止する
請求項３から９のいずれかに記載の電子機器。
【請求項８】
前記第１交流信号を直流信号に変換する交直変換部と、を備え、
前記信号検出部は、前記交直変換部により前記伝搬された前記第１交流信号が変換された第１直流信号における電圧を検知する
請求項１から７のいずれかに記載の電子機器。
【請求項９】
前記第１筐体に配置されて前記第１電極とは異なる第３電極と、
前記第２筐体に配置され、前記閉状態又は前記開状態の一方において離間すると共に前記閉状態又は前記開状態の他方において近接して配置される前記第２電極とは異なる第４電極と、
前記第３電極又は前記第４電極における一方に第２交流信号を印加する第２交流信号印加部と、
前記第３電極又は前記第４電極における他方に伝搬された交流信号を検出する第２交流信号検出部と、を備え、
前記開閉検知部は、前記第２交流信号検出部により検出された交流信号に基づいて、開閉状態を検知する
請求項１から８のいずれかに記載の電気機器。
【請求項１０】
前記第２交流信号印加部は、前記第１交流信号印加部から前記第２交流信号を生成する
ことを特徴とする請求項９に記載の電子機器。
【請求項１１】
前記第４電極は、前記開状態と前記閉状態との間の中間状態において、前記第３電極に比して前記第１電極に近接して配置される
請求項９に記載の電子機器。
【請求項１２】
前記第２交流信号印加部は、
前記開閉検知部により該電子機器が開状態と検知された場合には、前記第２間隔で前記第１交流信号を前記第３電極又は前記第４電極における一方に印加し、
前記開閉検知部により該電子機器が閉状態と検知された場合には、前記第２間隔よりも長い第４間隔で前記第２交流信号を前記第３電極又は前記第４電極における一方に印加する
請求項９又は１０に記載の電子機器。
【請求項１３】
所定周波数帯の電波を利用して外部と通信すると共に、所定時間ごとに間欠的に通信動作を行う通信部と、を備え、
前記第１交流信号印加部及び前記第２交流信号印加部それぞれは、前記通信部における間欠的な通信動作中において、前記第１交流信号及び前記第２交流信号それぞれの印加を停止する
請求項１２から１４のいずれかに記載の電子機器。
【請求項１４】
前記第２交流信号を直流信号に変換する交直変換部と、を備え、
前記信号検出部は、前記交直変換部により前記伝搬された前記第２交流信号が変換された第２直流信号における電圧を検知する
請求項９から１２のいずれかに記載の電子機器。
【発明の詳細な説明】
【技術分野】
【０００１】
本発明は、携帯電話機等の電子機器に関する。詳細には、互いに連結された２つの筐体を有する電子機器に関する。
【背景技術】
【０００２】
従来、電子機器としての携帯電話機において、携帯電話機の開閉を検知する構成として、一方の筐体にスイッチを配置し、他方の筐体に閉状態においてスイッチに対応する位置に突起を形成した開閉検知構造が知られている。
【０００３】
しかし、この開閉検知構造の場合、突起やスイッチを形成する位置が限定されるため設計の自由度が低くなるという問題や、突起やスイッチにより他の部品の実装スペースが少なくなるという問題があった。
【０００４】
そこで、携帯電話機における開閉状態を検知するため、一方の筐体に磁石を配置すると共に他方の筐体にホール素子を配置した携帯電話機が提案されている（例えば、特許文献１参照）。
【特許文献１】特開平１０−１２６４６９号公報
【発明の開示】
【発明が解決しようとする課題】
【０００５】
しかし、特許文献１に開示された携帯電話機において、一方の筐体に配置された磁石の位置によっては、磁石により発生される磁束が磁気記憶媒体やスピーカ等に悪影響を与える可能性があった。
【０００６】
本発明は、第１筐体に配置された第１電極と第２筐体に配置された第２電極との間で伝搬される交流信号に基づいて開閉状態を検知する電子機器を提供することを目的とする。
【課題を解決するための手段】
【０００７】
本発明は、第１面を有する第１筐体と、第２面を有する第２筐体と、前記第１面と前記第２面とが互いに対向して配置されて、前記第２筐体が前記第１面を覆う閉状態と、前記第１面が露出される開状態との間を相対移動可能に前記第１筐体と前記第２筐体とを連結する連結部と、前記第１筐体に形成される第１電極と、前記第２筐体に形成され、前記閉状態又は前記開状態の一方において離間すると共に前記閉状態又は前記開状態の他方において近接して配置される第２電極と、前記第１電極又は前記第２電極における一方に第１交流信号を印加する第１交流信号印加部と、前記第１電極又は前記第２電極における他方に伝搬された交流信号に基づいて信号を検出する信号検出部と、前記第１交流信号部検出部により検出された交流信号に基づいて開閉状態を検知する開閉検知部と、を備える電子機器に関する。
【０００８】
また、本発明は、前記第２電極は、前記開状態において前記第１電極に近接して配置されることが好ましい。
【０００９】
また、本発明は、前記連結部は、前記第１筐体における一端側と前記第２筐体における一端側とを連結し、前記第１電極は、前記第１筐体における前記連結部近傍に形成され、前記第２電極は、前記第２筐体における前記連結部近傍に形成されることが好ましい。
【００１０】
また、本発明は、前記第２電極は、前記第２筐体における前記第２面と反対の面側に配置されることが好ましい。
【００１１】
また、本発明は、前記第１筐体又は前記第２筐体の一方に収容配置される第１回路基板と、前記第２筐体の他方に収容配置される第２回路基板と、前記第１回路基板と前記第２回路基板とを電気的に接続する信号線と、を備え、前記第１交流信号印加部は、前記第１回路基板に備えられ、前記第２電極は、前記信号線を介して前記第１交流信号印加部より信号を受信することが好ましい。
【００１２】
また、本発明は、前記第１交流信号印加部は、前記開閉検知部により該電子機器が閉状態と検知された状態において、第１間隔で前記第１交流信号を前記第１電極又は前記第２電極における一方に印加し、前記開閉検知部により前記開状態と検知された状態において、前記第１間隔よりも長い第２間隔で前記第１交流信号を前記第１電極又は前記第２電極における一方に印加することが好ましい。
【００１３】
また、本発明は、電波を利用して外部と通信すると共に、所定時間ごとに間欠的に通信動作を行う通信部と、を備え、前記第１交流信号印加部は、前記通信部における間欠的な通信動作中において、前記第１交流信号の印加を停止することが好ましい。
【００１４】
また、本発明は、前記第１交流信号を直流信号に変換する交直変換部と、を備え、前記信号検出部は、前記交直変換部により前記伝搬された前記第１交流信号が変換された第１直流信号における電圧を検知することが好ましい。
【００１５】
また、本発明は、前記第１筐体に配置されて前記第１電極とは異なる第３電極と、前記第２筐体に配置され、前記閉状態又は前記開状態の一方において離間すると共に前記閉状態又は前記開状態の他方において近接して配置される前記第２電極とは異なる第４電極と、前記第３電極又は前記第４電極における一方に第２交流信号を印加する第２交流信号印加部と、前記第３電極又は前記第４電極における他方に伝搬された交流信号を検出する第２交流信号検出部と、を備え、前記開閉検知部は、前記第２交流信号検出部により検出された交流信号に基づいて、開閉状態を検知することが好ましい。
【００１６】
また、本発明は、前記第２交流信号印加部は、前記第１交流信号印加部から前記第２交流信号を生成することが好ましい。
【００１７】
また、本発明は、前記第４電極は、前記開状態と前記閉状態との間の中間状態において、前記第３電極に比して前記第１電極に近接して配置されることが好ましい。
【００１８】
また、本発明は、前記第２交流信号印加部は、前記開閉検知部により該電子機器が開状態と検知された場合には、前記第２間隔で前記第１交流信号を前記第３電極又は前記第４電極における一方に印加し、前記開閉検知部により該電子機器が閉状態と検知された場合には、前記第２間隔よりも長い第４間隔で前記第２交流信号を前記第３電極又は前記第４電極における一方に印加することが好ましい。
【００１９】
また、本発明は、所定周波数帯の電波を利用して外部と通信すると共に、所定時間ごとに間欠的に通信動作を行う通信部と、を備え、前記第１交流信号印加部及び前記第２交流信号印加部それぞれは、前記通信部における間欠的な通信動作中において、前記第１交流信号及び前記第２交流信号それぞれの印加を停止することが好ましい。
【００２０】
また、本発明は、前記第２交流信号を直流信号に変換する交直変換部と、を備え、前記信号検出部は、前記交直変換部により前記伝搬された前記第２交流信号が変換された第２直流信号における電圧を検知することが好ましい。
【発明の効果】
【００２１】
本発明によれば、第１筐体に配置された第１電極と第２筐体に配置された第２電極との間に伝搬される交流信号に基づいて開閉状態を検知する電子機器を提供することができる。
【発明を実施するための最良の形態】
【００２２】
以下、図面を参照して本発明を実施するための最良の形態を説明する。
第１実施形態において携帯電話機１における基本構成を説明する。
図１から図３Ｂにより、携帯電話機１における基本構造を説明する。図１は、開状態における携帯電話機１の正面図である。図２Ａは、閉状態における携帯電話機１の側面図である。図２Ｂは、図２Ａにおける第１金属蒸着部１００及び第２金属蒸着部１０２近傍の拡大図である。図３Ａは、開状態における携帯電話機１の側面図である。図３Ｂは、図３Ａにおける第１金属蒸着部１００及び第２金属蒸着部１０２近傍の拡大図である。
【００２３】
図１に示すように、電子機器としての携帯電話機１は、第１筐体としての操作部側筐体２と、第２筐体としての表示部側筐体３と、を備える。操作部側筐体２と表示部側筐体３とは、連結部としてのヒンジ機構４を介して開閉可能に連結される。具体的には、操作部側筐体２の上端部と表示部側筐体３の下端部とは、ヒンジ機構４を介して連結される。これにより、携帯電話機１は、ヒンジ機構４を介して連結された操作部側筐体２と表示部側筐体３とを相対的に動かすことが可能に構成される。
【００２４】
携帯電話機１は、図１、図３Ａ及び図３Ｂに示す操作部側筐体２と表示部側筐体３とが開いた状態（開状態）と、図２Ａ及び図２Ｂに示す操作部側筐体２と表示部側筐体３とが折り畳まれた状態（閉状態）とにすることができる。携帯電話機１は、操作部側筐体２における第１面としての内面２Ａと表示部側筐体３における第２面としての内面３Ａとが向かいあうように対向して配置される閉状態と、操作部側筐体２における内面２Ａと表示部側筐体３における内面３Ａとが対向しない開状態とになるようヒンジ機構４により開閉軸を中心に開閉可能に構成される。ここで、閉状態とは、両筐体が互いに重なるように配置された状態であり、開状態とは、両筐体が互いに重ならないように配置された状態をいう。
【００２５】
操作部側筐体２は、外面が閉状態において内側を向く第１面としての内面２Ａ側に配置されるフロントケース２ａと閉状態において外側を向く外面２Ｂ側に配置されるリアケース２ｂとにより構成される。操作部側筐体２は、フロントケース２ａ側に、操作キー群１１と、携帯電話機１の使用者が通話時に発した音声が入力されるマイクとしての音声入力部１２とがそれぞれ露出するように構成される。
【００２６】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００２７】
音声入力部１２は、操作部側筐体２の長手方向におけるヒンジ機構４側と反対の外端部側に配置される。つまり、音声入力部１２は、携帯電話機１が開状態において一方の外端部側に配置される。
【００２８】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２９】
表示部側筐体３は、外面が閉状態において内側を向く第２面としての内面３Ａ側に配置されるフロントケース３ａと、リアパネル３ｃ（図５参照）と、閉状態において外側を向く外面３Ｂ側に配置されるリアケース３ｂ（図５参照）とにより構成される。表示部側筐体３におけるフロントケース３ａとリアケース３ｂとの間には、各種情報を表示するための表示部２１と、通話の相手側の音声を出力するレシーバとしての音声出力部２２と、が露出するように配置される。ここで、表示部２１は、液晶パネルと、この液晶パネルを駆動する駆動回路と、この液晶パネルの背面側から光を照射するバックライト等の光源部とから構成される。
【００３０】
ここで、図２Ａから図３Ｂに示すように、後述する第１電極としての第１金属蒸着部１００は、操作部側筐体２におけるヒンジ機構４側に形成され、第２電極としての第２金属蒸着部１０２は、表示部側筐体３におけるヒンジ機構４側に形成される。
【００３１】
図２Ａ及び図２Ｂに示すように、携帯電話機１が閉状態において、第１金属蒸着部１００と第２金属蒸着部１０２とは、携帯電話機１における厚さ方向に離間して配置される。また、図３Ａ及び図２Ｂに示すように、携帯電話機１が開状態において、第１金属蒸着部１００と第２金属蒸着部１０２とは、近接して配置される。
【００３２】
第１金属蒸着部１００と前記第２金属蒸着部１０２とは、携帯電話機１が開状態におけるアンテナ利得の向上を目的して形成される導電部である。
本実施形態においては、アンテナ利得向上のための第１金属蒸着部１００と第２金属蒸着部１０２とを利用して、携帯電話機１における開閉状態を検知する。
【００３３】
次いで、図４から図７により、携帯電話機１における操作部側筐体２及び表示部側筐体３の内部構造について説明する。図４は、操作部側筐体２に内蔵される部材の分解斜視図である。図５は、表示部側筐体３に内蔵される部材の分解斜視図である。図６は、携帯電話機１における開閉検知機能を説明するブロック図である。図７は、開閉検知機能を構成する要素の回路図である。
【００３４】
図４に示すように、操作部側筐体２は、フロントケース２ａと、キー構造部４０と、キー基板５０と、ケース体６０と、基準電位パターン層７５及び携帯電話機用のＲＦ（Ｒａｄｉｏ  Ｆｒｅｑｕｅｎｃｙ）モジュール等の各種電子部品を備える第１回路基板７０と、アンテナ部８０と、バッテリリッド２ｃを備えたリアケース２ｂと、バッテリ９０とを備える。
【００３５】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部４０と、キー基板５０と、ケース体６０と、第１回路基板７０と、アンテナ部８０と、が挟まれるようにして内蔵される。
【００３６】
フロントケース２ａには、携帯電話機１を折り畳んだ状態で表示部側筐体３の表示部２１と対向する内側面に、キー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押し下げるように押圧することで、対応するキースイッチ５１、５２、５３それぞれに設けられる後述のメタルドーム（椀状形状）の頂点が押圧され、スイッチ端子に接触して電気的に導通する。
【００３７】
フロントケース２ａにおけるヒンジ機構４が配置される側の端部２００Ａには、第１金属蒸着部１００が形成される。第１金属蒸着部１００は、フロントケース２ａの端部２００Ａにおける回転軸Ｘ方向（幅方向）のＸ１側に形成される。第１金属蒸着部１００は、フロントケース２ａの端部２００Ａにおけるリアケース２ｂと対向する側の面である内面に形成される。第１金属蒸着部１００は、フロントケース２ａの内面に金属蒸着処理をすることで形成される。
【００３８】
第１金属蒸着部１００は、図３Ａ及び図３Ｂに示すように、携帯電話機１が開状態において、表示部側筐体３に形成された第２金属蒸着部１０２と近接配置されて互いに容量結合する。
【００３９】
図１及び図４に示すように、第１回路基板７０と表示部側筐体３に収容配置される第２回路基板としての回路基板８５とをつなぐ信号線２５０ａを含むフレキシブルプリント基板２５０は、回転軸方向ＸにおけるＸ２側に配置される。そして、互いに容量結合する第１金属蒸着部１００及び第２金属蒸着部１０２は、回転軸方向Ｘにおける信号線２５０ａと反対側のＸ１側に形成される。これより、携帯電話機１が開状態において、アンテナ特性は好適な状態に向上される。
【００４０】
第１面としての内面２Ａにおける第１金属蒸着部１００に対応する領域は、図２Ａから図３Ｂに示すように、携帯電話機１が閉状態及び前記開状態において外部に露出しないよう構成される。図２Ａから図３Ｂに示すように、第１金属蒸着部１００に対応する領域は、携帯電話機１が閉状態及び開状態において、表示部側筐体３の一部に覆われ、外部に露出しない状態が維持される。
【００４１】
第１金属蒸着部１００は、後述する第１回路基板７０に電気的に接続される。第１金属蒸着部１００は、後述する交直変換部４０４を構成する電気回路に電気的に接続される（図７参照）。
【００４２】
第１金属蒸着部１００と第２金属蒸着部１０２とは、図２Ａ及び図２Ｂに示すように、閉状態において、厚さ方向Ｔに離間して配置される。つまり、携帯電話機１が開状態と閉状態とでは、第１金属蒸着部１００と第２金属蒸着部１０２との距離が変化する。言い換えると、携帯電話機１が開状態と閉状態とでは、第１金属蒸着部１００と第２金属蒸着部１０２との間で伝搬される後述するクロック信号（第１交流信号）の伝搬度合い等が異なる。また、クロック信号は、後述する交直変換部４０４により直流信号（第１直流信号）に変換され、直流信号として信号検出部４０５により検知される。信号検出部４０５により検出された交流信号における電圧値に基づいて、開閉検知部４１０（図６参照）により開閉状態が検知される。
【００４３】
キー構造部４０は、操作部材４０Ａと、補強部材としてのキーフレーム４０Ｂと、キーシート４０Ｃと、により構成される。
【００４４】
操作部材４０Ａは、複数のキー操作部材により構成される。具体的には、機能設定操作キー部材１３ｂと、入力操作キー部材１４ｂと、決定操作キー部材１５ｂとにより構成される。操作部材４０Ａを構成する各操作キー部材それぞれは、後述するキーフレーム４０Ｂを挟んでキーシート４０Ｃに接着される。キーシート４０Ｃに接着された各操作キー部材それぞれにおける押圧面は、上述の通り、キー孔１３ａ、１４ａ、１５ａそれぞれから外部に露出して配置される。
【００４５】
キーフレーム４０Ｂは、孔部１４ｃが複数形成された金属性の板状部材である。キーフレーム４０Ｂは、入力操作キー部材１４ｂの押圧による第１回路基板７０等への悪影響を防ぐための補強部材である。また、キーフレーム４０Ｂは導電性の部材であり、入力操作キー部材１４ｂにおける静電気を逃がすための部材としても機能する。キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。
【００４６】
キーシート４０Ｃは、可撓性を有するシリコンゴム製のシート状部材である。キーシート４０Ｃには、上述の通り、複数の凸部１４ｄが形成される。複数の凸部１４ｄは、キーシート４０Ｃにおけるキーフレーム４０Ｂが配置される側の面に形成される。この複数の凸部１４ｄそれぞれは、後述するキースイッチ５２に対応する位置に形成される。
【００４７】
キー基板５０は、キーシート４０Ｃ側に配置される複数のキースイッチ５１、５２、５３を有する。複数のキースイッチ５１、５２、５３、それぞれは、各操作部材４０Ａに対応する位置に配置される。キー基板５０に配置されるキースイッチ５１、５２、５３は、椀状に湾曲して立体的に形成された金属板のメタルドームを有する構造になっている。メタルドームは、その椀状形状の頂点が押圧されると、キー基板５０の表面に印刷された電気回路（図示せず）に形成されるスイッチ端子に接触して電気的に導通するように構成される。なお、キー基板５０は、複数の絶縁層（絶縁フィルム）の間に配線を挟み込んだものである。
【００４８】
キー基板５０がケース体６０における平板部６１に載置されるので、操作部材４０Ａそれぞれが押圧されることによる圧力や撓みは、ケース体６０の下方に配置される第１回路基板７０に伝達されにくい。
【００４９】
ケース体６０は、薄型の直方体における一の広い面が開口した形状を有する導電性の部材である。ケース体６０は、平板部６１における開口側の面に略垂直に形成されるリブ６２を有する。リブ６２は、第１回路基板７０に実装される各種電子部品のうち最も高さのある電子部品の高さと同等又はそれよりも十分に高くなるよう形成される。リブ６２は、平板部６１の周縁及び内側に基準電位部を構成する基準電位パターン層７５に対応するように形成される。具体的には、ケース体６０が第１回路基板７０に載置された状態で、基準電位パターン層７５上に配置されるようにリブ６２が形成される。なお、ケース体６０は、金属により形成するほか、骨格を樹脂により形成し、その表面に導体膜を形成したものでもよい。
【００５０】
ケース体６０は、リブの底面が基準電位パターン層７５に当接されることで、該基準電位パターン層７５と電気的に接続される。ケース体６０は、基準電位パターン層７５と電気的に導通して該基準電位パターン層７５と同じ大きさの電位を有するようになる。つまり、ケース体６０は、シールドケースとして機能する。ケース体６０は、シールドケースとして外部からの高周波等のノイズが第１回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナに接続される受信回路等に作用することを抑制する。具体的には、ケース体６０におけるリブ６２の底面が基準電位パターン層７５上に配置されることで、後述する各回路はリブ６２により囲われると共に平板部６１の一部により覆われる。リブ６２は、各回路における隔壁として機能し、平板部６１の一部と共に各回路をシールドする。
【００５１】
第１回路基板７０には、アンテナ８０が送受信する信号を処理する信号処理部、不図示のメモリやＣＰＵ４５を含む不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００５２】
第１回路基板７０におけるケース体６０側の第１面７０ａには、上述の各種電子部品のほか、基準電位部を構成する基準電位パターン層７５が形成される。基準電位パターン層７５は、上述の各回路ブロックを区画するように形成される。基準電位パターン層７５は、第１回路基板７０の第１面７０ａの表面に導電性の部材を所定パターンで印刷することで形成される。
【００５３】
フレキシブルプリント基板２５０は、図４に示す第１回路基板７０と図５に示す第２回路基板８５とに接続される。フレキシブルプリント基板２５０は、図１に示すように、回転軸方向Ｘにおいて、第１金属蒸着部１００及び第２金属蒸着部１０２側（Ｘ１側）と反対側のＸ２側に偏って配置される。フレキシブルプリント基板２５０は、複数の信号線２５０ａを有する。第１回路基板７０と第２回路基板８５とをつなぐ複数の信号線２５０ａそれぞれは、第１回路基板７０に実装された電子部品等からの信号を第２回路基板８５に実装された所定の電子部品等に出力させる。
【００５４】
アンテナ部８０は、基台上に所定形状のアンテナエレメントが配置されることにより構成される。アンテナ部８０は、携帯電話機１におけるヒンジ機構４側と反対の端部側に配置される。このアンテナ部８０のアンテナエレメントは、帯状の板金により形成される。また、アンテナ部８０は、不図示の給電端子を介して第１回路基板７０から給電される。これにより、アンテナエレメントは、給電端子を介して第１回路基板７０から給電されると共に、第１回路基板７０のＲＦモジュール等と接続される。
【００５５】
リアケース２ｂの一端側（図４において）には、取り外し可能なバッテリリッド２ｃが設けられており、バッテリ９０をリアケース２ｂの外側から収納した後、リアケース２ｂに装着される。また、リアケース２ｂにおける一端側には、ユーザの音声を入力する不図示の音声入力部１２（特にマイク）が収容される。
【００５６】
図５に示すように、表示部側筐体３は、フロントケース３ａと、図５において不図示の音声出力部２２と、表示部２１と、表示部２１が接続された第２回路基板８５と、リアパネル３ｃと、リアケース３ｂと、を備える。
【００５７】
表示部側筐体３は、フロントケース３ａと、表示部２１と、第２回路基板８５と、リアパネル３ｃと、リアケース３ｂとがそれぞれが積層的に配置される。具体的には、フロントケース３ａとリアケース３ｂとは、互いの凹状の内側面が向き合うように配置され、互いの外周縁が重なり合うようにして結合される。
【００５８】
フロントケース３ａとリアケース３ｂとの間には、表示部２１が接続された第２回路基板８５が挟まれるようにして内蔵される。第２回路基板８５には、不図示のアンプと接続されるスピーカが接続される。
【００５９】
リアケース３ｂにおけるヒンジ機構４が配置される側の端部３００Ａには、第２金属蒸着部１０２が形成される。第２金属蒸着部１０２は、リアケース３ｂの端部３００Ａにおける回転軸Ｘ方向（幅方向）のＸ１側に形成される。第２金属蒸着部１０２は、リアケース３ｂの端部３００Ａにおけるフロントケース３ａと対向する側の面である内面に形成される。第２金属蒸着部１０２は、リアケース３ｂの内面に金属蒸着処理をすることで形成される。
【００６０】
第２金属蒸着部１０２は、図２Ａ及び図２Ｂに示すように、携帯電話機１が閉状態において第１金属蒸着部１００から離間して配置され、図３Ａ及び図３Ｂに示すように、携帯電話機１が開状態において第１金属蒸着部１００に近接して配置される。
【００６１】
第２金属蒸着部１０２は、図２Ａから図３Ｂに示すように、表示部側筐体３における第２面としての内面３Ａと反対の外面３Ｂ側に形成される。
第２金属蒸着部１０２に対応する内面３Ａに対応する領域は、図２Ａ及び図２Ｂに示すように携帯電話機１が閉状態において外部に露出し、図３Ａ及び図３Ｂに示すように開状態において外部に露出ないよう構成される。
第２金属蒸着部１０２は、第２回路基板８５における不図示の基準電位パターン層に接続される。
【００６２】
続けて、図６により、携帯電話機１における開閉検知機能を説明する。
図６に示すように、携帯電話機１は、通信部３９０と、第１金属蒸着部１００及び第２金属蒸着部１０２と、第１交流信号印加部としてのＲＴＣ（Ｒｅａｌ―Ｔｉｍｅ  Ｃｌｏｃｋ）４００と、ＣＰＵ４５に含まれる信号検出部４０５及び開閉検知部４１０と、を有する。
【００６３】
通信部３９０は、アンテナ部８０と、ＲＦモジュールとを有して構成される。
通信部３９０は、所定周波数帯（例えば、８００ＭＨｚ）の電波を利用して外部の基地局との通信を行う。また、通信部３９０は、所定時間ごとに間欠的に通信動作を行う。通信部３９０は、例えば、５．１２秒ごとに２０ｍｍ秒間の通信動作を定期的に行う。
【００６４】
第１金属蒸着部１００と第２金属蒸着部１０２とは、互いの距離が開閉状態により変更するよう構成される。具体的には、上述の通り、携帯電話機１が閉状態である場合には互いに離間して配置され、開状態である場合には互いに近接して配置される。第１金属蒸着部１００と第２金属蒸着部１０２とが離間している場合、ＲＴＣ４００からのクロック信号（例えば、３２ＫＨｚ）は、第１金属蒸着部１００と第２金属蒸着部１０２との間において伝搬されない。第１金属蒸着部１００と第２金属蒸着部１０２とが近接される場合、ＲＴＣ４００からのクロック信号は、第１金属蒸着部１００と第２金属蒸着部１０２との間において伝播される。
【００６５】
ＲＴＣ４００は、第１金属蒸着部１００又は第２金属蒸着部１０２の一方に交流信号としてのクロック信号を印加する。なお、当該ＲＴＣ４００は、異なる周波数の電圧を印加することが可能である。第１交流信号印加部４００は、第１金属蒸着部１００又は第２金属蒸着部１０２の一方にクロック信号を所定間隔で間欠的に印加する。本実施形態において、ＲＴＣ４００は、第２金属蒸着部１０２にクロック信号を印加（出力）する（図７参照）。
【００６６】
ＲＴＣ４００は、開閉検知４１０により閉状態であると検知された場合、第１間隔でクロック信号を出力する。また、開閉検知部４１０により開状態であると検知された場合、第１間隔よりも長い第２間隔でクロック信号を出力する。これは、携帯電話機１が開状態である場合、通信部３９０による通信がなされている場合が多いことから、通信部３９０による通信動作に与える影響を抑制するため開状態においてＲＴＣ４００からクロック信号を出力する間隔を長くしている。具体的には、通信部３９０による通信に用いられる周波数の波長は、第１間隔及び第２間隔よりも小さい。つまり、通信部３９０による通信が行われているとき、第１間隔より間隔の大きい第２間隔が用いられることにより、ＲＴＣ４００が発する周波数と、通信部３９０が用いる周波数の差は大きくなる。従って、ＲＴＣ４００から発せられる周波数が、通信部３９０による通信を阻害する虞は低減される。
【００６７】
ＲＴＣ４００は、通信部３９０が行う所定時間ごとの間欠的な通信動作中において、クロック信号の出力（印加）を停止する。例えば、５．１２秒ごとに２０ｍｍ秒間だけ行われる通信動作中において、ＲＴＣ４００は、クロック信号の出力を停止する。通信部３９０による間欠的な通信動作が短時間であると共に頻繁でないことから開閉状態を検知する機能について実質的な影響はないので、通信部３９０による間欠的な通信動作中において、ＲＴＣ４００におけるクロック信号の出力を停止するように構成される。
【００６８】
ＲＴＣ４００は、通信部３９０が上述の間欠的な通信動作中において、第１金属蒸着部１００又は第２金属蒸着部１０２に対してクロック信号を出力しない。ＲＴＣ４００は、通信部３９０が送信又は受信する所定周波数帯の電波に対して影響が出ないようクロック信号の出力を停止する。
【００６９】
交直変換部４０４は、伝搬されたクロック信号を直流信号に変換する。具体的には、第２金属蒸着部１０２から第１金属蒸着部１００に伝搬されたクロック信号を直流信号に変換する。交直変換部４０４における具体的な構成は、後述の通りである。
【００７０】
信号検出部４０５は、交直変換部４０４により直流信号に変換されたクロック信号を検出する。具体的には、信号検出部４０５は、クロック信号が変換された直流信号における電圧値を検出する。
【００７１】
開閉検知部４１０は、信号検出部４０５により検出された直流信号に基づいて、該携帯電話機１における開閉状態を検知する。具体的には、開閉検知部４１０は、信号検出部４０５により検出された直流信号の電圧値に基づいて、該携帯電話機１における開閉状態を検知する。詳細には、開閉検知部４１０は、信号検出部４０５により検出された直流信号の電圧値Ｖが所定値より大きい場合（Ｈｉ状態）、該携帯電話機１が開状態であることを検知する。開閉検知部４１０は、信号検出部４０５により検出された直流信号が所定値より小さい（Ｌｏ状態）の場合、該携帯電話機１が閉状態であることを検知する。
【００７２】
図７により、開閉状態を検知する機能を構成する回路図を説明する。
図７に示すように、携帯電話機１は、操作部側筐体２側に配置されるＲＴＣ４００と、第１金属蒸着部１００と、交直変換部４０４を構成するダイオード５００と、コンデンサ５０５と、抵抗５１０と、ＣＰＵ４５と、表示部側筐体３に配置される第２金属蒸着部１０２と、を有する。
【００７３】
ＲＴＣ４００は、上述の通り、クロック信号（例えば、３２ＫＨｚ）を出力する。具合的には、操作部側筐体２に配置されるＲＴＣ４００は、表示部側筐体３に配置される第２金属蒸着部１０２に対してクロック信号を出力する。
【００７４】
第２金属蒸着部１０２には、ＲＣＴ４００から出力されたクロック信号が印加される。第１金属蒸着部１００には、第２金属蒸着部１０２からクロック信号が伝搬される。
具体的には、開状態において、第２金属蒸着部１０２と第１金属蒸着部１００とは近接して配置され、クロック信号は、第２金属蒸着部１０２から第１金属蒸着部１００に伝搬される。また、閉状態において第２金属蒸着部１０２と第１金属蒸着部１００とは離間して配置され、クロック信号は、第２金属蒸着部１０２から第１金属蒸着部１００に伝搬されない。
【００７５】
ダイオード５００と、コンデンサ５０５と、抵抗５１０とは、交直変換部４０４を構成する。第１金属蒸着部１００に伝搬されたクロック信号は、整流素子としてのダイオード５００と、コンデンサ５０５と、抵抗５１０とにより構成される交直変換部４０４により、交流信号から直流信号に変換される。
【００７６】
ＣＰＵ４５には、交直変換部４０４により変換された直流信号が入力される。入力された直流信号は、図６に示す機能部としての信号検出部４０５により検出される。具体的には、信号検出部４０５は、直流信号の電圧値を検出する。そして、検出された直流信号の電圧値に応じて、開閉検知部４１０は、携帯電話機１における開閉状態を検知する。
【００７７】
具体的には、検出された直流信号の電圧値が所定値よりも高い場合（Ｈｉ状態）、開閉検知部４１０は、携帯電話機１が開状態であることを検知する。また、検知された直流信号の電圧値が所定値よりも低い場合（Ｌｏｗ状態）、開閉検知部４１０は、携帯電話機１が閉状態であることを検知する。
このような構成を有することによって、例え表示部側筐体３にグランドが備えられていなくとも、交流電圧による開閉検出が可能となる。
【００７８】
続けて、図８に基づいて、本実施形態の携帯電話機１における作用について説明する。
図８は、開閉検知機能の動作を説明するフロー図である。
まず、ＲＴＣ４００から第２金属蒸着部１０２にクロック信号が出力される（ＳＴ１）。携帯電話機１が閉状態において、第１金属蒸着部１００と第２金属蒸着部１０２とは、離間した状態である（ＳＴ２）。この状態において、第２金属蒸着部１０２に印加されたクロック信号は、第１金属蒸着部１００に伝搬されない。
【００７９】
次いで、閉状態である携帯電話機１を開状態に変形させる（ＳＴ３）。
携帯電話機１を閉状態から開状態に変形した場合、第１金属蒸着部１００と第２金属蒸着部１０２は近接配置される（ＳＴ４）。つまり、携帯電話機１が開状態において、第１金属蒸着部１００と第２金属蒸着部１０２との距離は閉状態の場合よりも短くなる。第１金属蒸着部１００と第２金属蒸着部１０２との距離が短くなることで、第２金属蒸着部１０２から第１金属蒸着部１００にクロック信号が伝搬される（ＳＴ５）。
【００８０】
続けて、交直変換部４０４は、第２金属蒸着部１０２から第１金属蒸着部１００に伝搬したクロック信号を直流信号に変換する（ＳＴ６）。信号検出部４０５は、変換された直流信号の電圧値Ｖを検出する（ＳＴ７）。
【００８１】
開閉検知部４１０は、検出された電圧値Ｖに基づいて、携帯電話機１における開閉状態を検知する。具体的には、検出された電圧値Ｖと所定の基準電圧値Ｖ０とを比較する（ＳＴ８）。そして、検出された電圧値Ｖが基準電圧値Ｖ０よりも大きい場合、開閉検知部４１０は、携帯電話機１が開状態であることを検知する（ＳＴ９）。
【００８２】
続けて、携帯電話機１を開状態から閉状態に変形させる（ＳＴ１０）。携帯電話機１が閉状態において、第１金属蒸着部１００と第２金属蒸着部１０２とは離間した状態となる（ＳＴ１１）。この状態において、第２金属蒸着部１０２に印加されたクロック信号は、第１金属蒸着部１００に伝搬されなくなる（ＳＴ１２）。
【００８３】
開閉検知部４１０は、検出された電圧値Ｖと基準電圧値Ｖ０とを比較する（ＳＴ１３）。そして、検出された電圧値Ｖが基準電圧値Ｖ０よりも小さい場合、開閉検知部４１０は、携帯電話機１が閉状態であることを検知する（ＳＴ１４）。
【００８４】
本実施形態によれば、アンテナ特性を向上させるために配置された第１金属蒸着部１００と第２金属蒸着部１０２とを携帯電話機１における開閉検知手段として利用したので、開閉検知用として新たに所定のセンサを追加することなく携帯電話機１の開閉を検知可能な構成としている。また、これにより、コストを増加させることなく開閉検知が可能な構成を有する携帯電話機１を提供することができる。
【００８５】
また、本実施形態によれば、従来用いられている磁石を用いることなく開閉検知が可能な構成としているので、スピーカや磁気媒体等に対して悪影響が生じることを抑制できる。また、携帯電話機１と近接して配置することで生じる磁気を利用したカードや機器等に悪影響を与えることを抑制できる。
【００８６】
また、本実施形態によれば、内面２Ａにおける第１金属蒸着部１００に対応する領域は、携帯電話機１が開状態及び閉状態において、外部に露出されないので、ユーザや他の導電体が当接等されない。これにより、開閉状態の誤検知が抑制される。
【００８７】
また、本実施形態によれば、信号線２５０ａを含むフレキシブルプリント基板２５０は、回転軸方向ＸにおけるＸ２側に配置される。そして、第１金属蒸着部１００及び第２金属蒸着部１０２は、回転軸方向Ｘにおける信号線２５０ａと反対側のＸ１側に形成される。これより、携帯電話機１が開状態において、アンテナ特性は好適な状態に向上される。
【００８８】
また、本実施形態によれば、第１金属蒸着部１００及び第２金属蒸着部１０２それぞれは、金属蒸着により形成される。これにより、第１電極及び第２電極を、携帯電話機１における開閉状態により近接又は離間する位置に移動される任意の部分に形成することができる。
【００８９】
また、携帯電話機における薄型化が進むなか、携帯電話機を磁気カード等と一緒にポケットに入れる場合が増えている。従来技術のように磁石を用いた携帯電話機を磁気カードと一緒にポケットに入れた場合、磁気カードに記憶されたデータが消える等の悪影響を与える場合があったものの、本発明は磁気検出素子を用いていないために、磁気カード等のデータに悪影響を与えることがないという効果を奏することが可能となる。
【００９０】
また、本実施形態によれば、第２金属蒸着部１０２から第１金属蒸着部１００に伝搬する交流信号を直流信号に変換すると共に、変換された直流信号の電圧値に基づいて、携帯電話機１における開閉状態を検知するので、開閉状態の変化を明確に把握することができる。特に、所定の基準電圧値を基準にして、直流信号における電圧値が大きいか小さいかにより開閉状態を検知するので、携帯電話機１によれば、開閉状態の検知が明確になされる。また、外部からのノイズによる誤検知も抑制できる。
【００９１】
続けて、第２実施形態における携帯電話機１につて説明する。
本実施形態における携帯電話機１は、上述の第１実施形態における携帯電話機１と同様の構成を有する。
以下、第１実施形態における携帯電話機１と異なる点について説明する。第１実施形態における携帯電話機１と同様の構成等について説明は省略する。
【００９２】
図９により、第２実施形態の携帯電話機１における開閉状態を検知する機能を構成する回路図を説明する。図９は、第２実施形態における開閉検知機能を構成する要素の回路図である。
図９に示すように、第２実施形態において、ＲＴＣ４００からのクロック信号は、第１金属蒸着部１００に出力される点で第１実施形態と異なる。
【００９３】
携帯電話機１が開状態において、第１金属蒸着部１００と第２金属蒸着部１０２とは近接して配置され、第１金属蒸着部１００から第２金属蒸着部１０２にクロック信号が伝搬される。この場合、ＣＰＵ４５に含まれる信号検出部４０５により検出される電圧値Ｖは、所定の基準電圧値Ｖ０よりも大きくなる。
【００９４】
携帯電話機１が閉状態において、第１金属蒸着部１００と第２金属蒸着部１０２とは離間して配置され、第１金属蒸着部１００から第２金属蒸着部１０２にクロック信号が伝搬されない。第１金属蒸着部１００に印加されたクロック信号は、交直変換部４０４により直流信号に変換されると共に、ＣＰＵ４５に含まれる信号検出部４０５により電圧値Ｖが検出される。この場合、ＣＰＵ４５に含まれる信号検出部４０５により検出される電圧値Ｖは、所定の基準電圧値Ｖ０よりも小さくなる。
【００９５】
本実施形態における携帯電話機１は、第１実施形態とは逆に、閉状態において検出される電圧値Ｖが基準電圧値Ｖ０よりも大きく（Ｈｉ状態）、開状態において検出される電圧値Ｖが基準電圧値Ｖ０よりも小さくなる（Ｌｏｗ状態）。
【００９６】
ＣＰＵ４５に含まれる開閉検知部４１０は、検出される電圧が基準電圧よりも大きい場合に閉状態を検知し、検出される電圧Ｖが基準電圧Ｖ０よりも小さい場合に開状態を検知する。
【００９７】
続けて、第３実施形態における携帯電話機１につて説明する。
本実施形態における携帯電話機１は、上述の第１実施形態における携帯電話機１と同様の構成を有する。
以下、第１実施形態における携帯電話機１と異なる点について説明する。第１実施形態における携帯電話機１と同様の構成等について説明は省略する。
【００９８】
図１０により、第３実施形態の携帯電話機１における開閉状態を検知する機能を構成する回路図を説明する。図１０は、第３実施形態における開閉検知機能を構成する要素の回路図である。
図１０に示すように、第２実施形態と同様に、ＲＴＣ４００からのクロック信号は、第１金属蒸着部１００に出力される点で第１実施形態と異なる。
【００９９】
携帯電話機１が開状態において、第１金属蒸着部１００と第２金属蒸着部１０２とは近接して配置され、第１金属蒸着部１００から第２金属蒸着部１０２にクロック信号が伝搬される。この場合、ＣＰＵ４５に含まれる信号検出部４０５により検出される電圧値Ｖは、所定の基準電圧値Ｖ０よりも大きくなる。
【０１００】
携帯電話機１が閉状態において、第１金属蒸着部１００と第２金属蒸着部１０２とは離間して配置され、第１金属蒸着部１００から第２金属蒸着部１０２にクロック信号が伝搬されない。第１金属蒸着部１００に印加されたクロック信号は、交直変換部４０４により直流信号に変換されると共に、ＣＰＵ４５に含まれる信号検出部４０５により電圧値が検出される。この場合、ＣＰＵ４５に含まれる信号検出部４０５により検出される電圧値Ｖは、所定の基準電圧値Ｖ０よりも小さくなる。
【０１０１】
本実施形態における携帯電話機１は、第１実施形態とは逆に、閉状態において検出される電圧値Ｖが基準電圧値Ｖ０よりも大きく（Ｈｉ状態）、開状態において検出される電圧値Ｖが基準電圧値Ｖ０よりも小さくなる（Ｌｏｗ状態）。
【０１０２】
ＣＰＵ４５に含まれる開閉検知部４１０は、検出される電圧が基準電圧よりも大きい場合に閉状態を検知し、検出される電圧が基準電圧よりも小さい場合に開状態を検知する。
【０１０３】
更に、本実施形態における携帯電話機１は、ＣＰＵ４５における出力ポート４５ｂから出力される制御信号に基づいて切り替え可能なスイッチ５２０を備える。また、ＲＴＣ４００は、ＣＰＵ４５により制御可能に構成される。
【０１０４】
上述のような構成を採ることで、本実施形態における携帯電話機１は、通信部３９０による間欠的な通信動作中において、開閉状態の検知を停止させることができる。具体的には、携帯電話機１は、通信部３９０における間欠的な通信動作中において、ＲＴＣ４００からクロック信号の出力を停止すると共にスイッチ５２０を切り替えることで、第１金属蒸着部１００にクロック信号を印加させないようにすることができる。
【０１０５】
本実施形態によれば、上述した実施形態における作用効果と同様の作用効果を得ることができる。更に、本実施形態においては、通信部３９０による間欠的な通信動作中において、交流信号であるクロック信号の出力を停止することができる。これにより、通信部３９０における通信動作に影響を与えることを抑制することができる。
【０１０６】
続けて、第４実施形態における携帯電話機１につて説明する。
本実施形態における携帯電話機１は、上述の第１実施形態における携帯電話機１と同様の構成を有する。
以下、第１実施形態における携帯電話機１と異なる点について説明する。第１実施形態における携帯電話機１と同様の構成等について説明は省略する。
【０１０７】
図１１により、第４実施形態における金属蒸着部の配置等について説明する。図１１は、第４実施形態における金属蒸着部が形成された領域の部分拡大図を示す。
【０１０８】
図１１に示すように、第１電極としての第１金属蒸着部１００は操作部側筐体２におけるヒンジ機構４側に形成され、第２電極としての第２金属蒸着部１０２は表示部側筐体３におけるヒンジ機構４側に形成される。また、第３電極としての第３金属蒸着部１１０は操作部側筐体２におけるヒンジ機構４側に形成され、第４電極としての第４金属蒸着部１１２は表示部側筐体３におけるヒンジ機構４側に形成される。
【０１０９】
携帯電話機１が閉状態において、第１金属蒸着部１００と第２金属蒸着部１０２とは、携帯電話機１における厚さ方向に離間して配置される。また、携帯電話機１が開状態において、第１金属蒸着部１００と第２金属蒸着部１０２とは、近接して配置される。
【０１１０】
また、携帯電話機１が閉状態において、第３金属蒸着部１１０と第４金属蒸着部１１２とは、携帯電話機１における厚さ方向に離間して配置される。また、携帯電話機１が開状態において、第３金属蒸着部１１０と第４金属蒸着部１１２とは、近接して配置される。
【０１１１】
ここで、開状態と閉状態との間の状態である中間状態において、第１金属蒸着部１００と第４金属蒸着部１１２とは、互いに近接して配置される。また、この状態において、第２金属蒸着部１０２及び第３金属蒸着部１１０は、他の金属蒸着部とは離間して配置される。
【０１１２】
次いで、図１２により、第４実施形態の携帯電話機１における開閉状態を検知する機能を構成する回路図を説明する。図１２は、第４実施形態における開閉検知機能を構成する要素の回路図である。
図１２に示すように、ＲＴＣ４００からのクロック信号（第２交流信号）は、第２金属蒸着部１０２及び第４金属蒸着部１１２に出力される。なお、第２交流信号は、ＲＴＣ４００とは別の不図示のクロック発生器（第２交流信号印加部）から出力されても良い。
【０１１３】
携帯電話機１が開状態において、第１金属蒸着部１００と第２金属蒸着部１０２とは近接して配置され、第２金属蒸着部１０２から第１金属蒸着部１００にクロック信号が伝搬される。また、第３金属蒸着部１１０と第４金属蒸着部１１２とは近接して配置され、第４金属蒸着部１１２から第３金属蒸着部１１０にクロック信号が伝搬される。
【０１１４】
この場合、ＣＰＵ４５に含まれる信号検出部４０５により検出される電圧値は、第１金属蒸着部１００が受けたクロック信号と、第３金属蒸着部１１０が受けたクロック信号とが加算されたクロック信号が交直変換された直流信号（第２直流信号）の電圧値（例えば、２Ｖ）となる。
【０１１５】
携帯電話機１が閉状態において、第１金属蒸着部１００と第２金属蒸着部１０２とは離間して配置され、第１金属蒸着部１００から第２金属蒸着部１０２にクロック信号が伝搬されない。また、第３金属蒸着部１１０と第４金属蒸着部１１２とは離間して配置され、第３金属蒸着部１１０から第４金属蒸着部１１２にクロック信号が伝搬されないこの場合、ＣＰＵ４５に含まれる信号検出部４０５により検出される電圧値は小さい値となる。
【０１１６】
携帯電話機１が上述の中間状態において、第１金属蒸着部１００と第４金属蒸着部１１２とが近接して配置され、第４金属蒸着部１１２から第１金属蒸着部１００にクロック信号が伝搬される。
【０１１７】
この場合、ＣＰＵ４５に含まれる信号検出部４０５により検出される電圧値は、第１金属蒸着部１００が受けたクロック信号が交直変換された直流信号の電圧値（例えば、Ｖ）となる。
【０１１８】
ＣＰＵ４５に含まれる開閉検知部４１０は、開閉状態を多段階で検知することができる。具体的には、開閉検知部４１０は、検出される電圧値が所定の第１値よりも大きい場合には、開状態であることを検知する。
また、開閉検知部４１０は、検出される電圧値が所定の第２値（＜第１値）よりも小さい場合、閉状態であることを検知する。
また、開閉検知部４１０は、検出される電圧値が第２値から第１値の間である場合、中間状態であることを検知する。
【０１１９】
本実施形態によれば、上述した実施形態における作用効果と同様の作用効果を得ることができる。更に、本実施形態においては、開閉状態を多段階で検知することができる。
【０１２０】
続けて、第５実施形態における携帯電話機１につて説明する。
図１３により、第５実施形態における携帯電話機１Ａの構成を説明する。図１３は、第５実施形態における携帯電話機１Ａの構成を説明する側面図である。
図１３に示すように、本実施形態における携帯電話機１Ａは、いわゆるスライド式の携帯電話機１である。
【０１２１】
携帯電話機１Ａは、第１面としての内面２Ａを有する第１筐体としての操作部側筐体２と、第２面としての内面３Ａとを有する第２筐体としての表示部側筐体３と、表示部側筐体３が操作部側筐体２における内面２Ａを覆うように配置される閉状態と操作部側筐体２における内面を露出される開状態とになるよう操作部側筐体２と表示部側筐体３とを連結する連結部としての水平移動を可能とする機構４と、を備える。
【０１２２】
携帯電話機１は、閉状態において、第１金属蒸着部１００と第２金属蒸着部１０２とは離間して配置される。この場合、第１金属蒸着部１００又は第２金属蒸着部１０２の一方に印加されたＲＴＣ４００からのクロック信号は、第１金属蒸着部１００又は第２金属蒸着部１０２の他方に伝搬しない。
【０１２３】
携帯電話機１Ａは、操作部側筐体２が矢印方向にスライド移動して閉状態から開状態に変形することで、第１金属蒸着部１００と第２金属蒸着部１０２とが互いに近接して配置される。この場合、第１金属蒸着部１００又は第２金属蒸着部１０２の一方に印加されたＲＴＣ４００からのクロック信号は、第１金属蒸着部１００又は第２金属蒸着部１０２の他方に伝搬する。
【０１２４】
そして、上述した実施形態と同様に、伝搬したクロック信号が交直変換部４０４により変換された直流信号の電圧値に基づいて、開閉検知部４１０は、携帯電話機１における開閉状態を検知する。
【０１２５】
以上、好適な実施形態について説明したが、本発明は上述した実施形態に限定されることなく種々の形態で実施することができる。例えば、本実施形態において、電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【０１２６】
また、本実施形態においては、ヒンジ機構４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式でもよい。また、携帯電話機１は、いわゆる２軸ヒンジタイプであってもよい。
【０１２７】
なお、第３金属蒸着部１１０及び第４金属蒸着部１１２は、１つに限定されない。第３金属蒸着部１１０及び第４金属蒸着部１１２は複数個あってもよい。第３金属蒸着部１１０及び第４金属蒸着部１１２は複数個存在することにより、ＣＰＵ４５は、中間状態を多段階的に検知することが可能となる。したがって、ユーザは複数種類の中間状態で、携帯電話機１を操作可能となり、携帯電話機１は、ユーザビリティを向上させることが可能となる。
【０１２８】
なお、第１電極及び第２電極は、そのどちらかが信号送信部であり、他方が信号受信部として機能すれば、本実施形態の記載において入れ替えられても問題はない。同様に、第３電極及び第４電極も、そのどちらかが信号送信部であり、他方が信号受信部として機能すれば、本実施形態の記載において入れ替えられても問題はない。
【０１２９】
また、本実施形態においては、電極として金属蒸着部について説明しているが、これに限定されず、例えば、金属製の補強部材や、回路基板の金属部（配線パターン等）や、スピーカや、連結部を構成するダミーヒンジ等の部材を電極として利用してもよい。
【図面の簡単な説明】
【０１３０】
【図１】開状態における携帯電話機１の正面図である。
【図２Ａ】閉状態における携帯電話機１の側面図である。
【図２Ｂ】図２Ａにおける第１金属蒸着部１００及び第２金属蒸着部１０２近傍の拡大図である。
【図３Ａ】開状態における携帯電話機１の側面図である。
【図３Ｂ】図３Ａにおける第１金属蒸着部１００及び第２金属蒸着部１０２近傍の拡大図である。
【図４】操作部側筐体２に内蔵される部材の分解斜視図である。
【図５】表示部側筐体３に内蔵される部材の分解斜視図である。
【図６】携帯電話機１における開閉検知機能を説明するブロック図である。
【図７】開閉検知機能を構成する要素の回路図である。
【図８】開閉検知機能の動作を説明するフロー図である。
【図９】第２実施形態における開閉検知機能を構成する要素の回路図である。
【図１０】第３実施形態における開閉検知機能を構成する要素の回路図である。
【図１１】第４実施形態における金属蒸着部が形成された領域の部分拡大図を示す。
【図１２】第４実施形態における開閉検知機能を構成する要素の回路図である。
【図１３】第５実施形態における携帯電話機１Ａの構成を説明する側面図である。
【符号の説明】
【０１３１】
１          携帯電話機
２          操作部側筐体（第１筐体）
２Ａ        内面（第１面）
３          表示部側筐体（第２筐体）
３Ａ        内面（第２面）
４          ヒンジ機構（連結部）
４５        ＣＰＵ
１００      第１金属蒸着部（第１電極）
１０２      第２金属蒸着部（第２電極）
１１０      第３金属蒸着部（第３電極）
１１２      第４金属蒸着部（第４電極）
２５０ａ    信号線
３９０      通信部
４００      ＲＴＣ（交流信号印加部）
４０４      交直変換部
４０５      信号検出部
４１０      開閉検知部
【図１】
2009246548.tif 000003
【図２Ａ】
2009246548.tif 000004
【図２Ｂ】
2009246548.tif 000005
【図３Ａ】
2009246548.tif 000006
【図３Ｂ】
2009246548.tif 000007
【図４】
2009246548.tif 000008
【図５】
2009246548.tif 000009
【図６】
2009246548.tif 000010
【図７】
2009246548.tif 000011
【図８】
2009246548.tif 000012
【図９】
2009246548.tif 000013
【図１０】
2009246548.tif 000014
【図１１】
2009246548.tif 000015
【図１２】
2009246548.tif 000016
【図１３】
2009246548.tif 000017